(57)【要約】      （修正有）【課題】  確実にシャフトに回転刃を固定することができ、固定と同時に取付軸に対して同軸で尚且つ厳密に垂直な回転刃の面を簡単に得るられるロータリーカッターを得る。【解決手段】  ボス孔の内部に位置するシャフトの外周面に対して軸心へ向かう径方向の押圧力を付与する押圧機構と、シャフトの外周面上における押圧力の作用位置とは軸心を間に対向する側となるシャフト外周半周面上の周方向に離れた２位置において押圧力に対してシャフトを支承するためにボス孔の内周面上に設けられた第１及び第２の支承部とを備え、ボス孔軸心と第１の支承部との距離と、シャフト軸心と第１の支承部に当接するシャフト当接箇所までの距離とが等しく、且つボス孔軸心と第２の支承部との距離と、シャフト軸心と第２の支承部に当接するシャフト当接箇所までの距離とが等しくされているもの。【選択図】      図１
2005035170.tif 000002
【特許請求の範囲】
【請求項１】
回転刃を保持するホルダー部材と、ホルダー部材の貫通ボス孔に通された回転シャフトと、回転シャフト上のホルダー部材を回転シャフトに対して解除可能に固定する固定機構とを備えたロータリーカッターにおいて、
固定機構が、貫通ボス孔の内部に位置する回転シャフトの外周面に対して軸心へ向かう径方向の押圧力を付与する押圧機構と、回転シャフトの外周面上における前記押圧力の作用位置とは軸心を間に対向する側となる回転シャフト外周半周面上の周方向に離れた２位置において前記押圧力に対して回転シャフトを支承するために貫通ボス孔の内周面上に設けられた第１及び第２の支承部とを備え、
前記ボス孔軸心と第１の支承部との距離と、シャフト軸心と第１の支承部に当接するシャフト当接箇所までの距離とが等しく、尚且つ、前記ボス孔軸心と第２の支承部との距離と、シャフト軸心と第２の支承部に当接するシャフト当接箇所までの距離とが等しくされていることを特徴とするロータリーカッター。
【請求項２】
前記第１及び第２の支承部が、前記押圧力の作用中心線とボス孔軸心とを含む面に対して対称な位置に各々ボス孔軸心へ向けて互いに等しい隆起高さで設けられており、
前記第１及び第２の支承部に当接する回転シャフトの当接箇所が、シャフト軸心と同心で等しい離心距離の円弧周面部で構成されていることを特徴とする請求項１に記載のロータリーカッター。
【請求項３】
前記押圧機構が、貫通ボス孔の内面から軸心へ向かって前記回転シャフトを押圧する締め込みネジ機構を含むことを特徴とする請求項１又は２に記載のロータリーカッター。
【請求項４】
前記押圧機構が、貫通ボス孔の内面の一部とそれに対面する回転シャフトの表面との間で形成されたキー溝部と、このキー溝部に回転シャフトの軸方向に挿入されることによりホルダー部材と回転シャフトとを相互に固定する楔キーと、楔キーをキー溝部へ挿入する方向に付勢する付勢機構と、楔キーを付勢機構の押圧に抗してキー溝部から抜き出す方向へ移動させるための操作機構とを備えていることを特徴とする請求項１又は２に記載のロータリーカッター。
【請求項５】
キー溝部がシャフト軸方向に間隔をあけて隣接する二つのキー溝を含み、両キー溝にはそれぞれ個別の楔キーが互いに離反する方向へ挿入され、前記付勢機構がこれら個別の楔キーに同時に作用する付勢部材を含むと共に、前記操作機構もこれら個別の楔キーを同時に移動させるための操作部材を含んでいることを特徴とする請求項４に記載のロータリーカッター。
【請求項６】
一方の面に連続的に糊が塗布されるシート状壁装材を搬送方向に沿った縁部を裁断するために、請求項１〜５の何れかに記載のロータリーカッターを備えたことを特徴とする壁紙糊付機用スリッター。
【発明の詳細な説明】
【技術分野】
【０００１】
本発明は、ロータリーカッター及びそれを備えた壁紙糊付機用スリッターに関するものである。
【背景技術】
【０００２】
図５は従来の自動壁紙糊付機の全体構成を示す側面透視図である。図５に示す通り、本自動壁紙糊付機は、糊を収容する糊桶５４が設置される下部構体５２と、この下部構体５２に対して開閉可能に設置された上部構体５３と、下部構体５２を支持する脚部５３１とから主に構成される。
【０００３】
下部構体５２内には、クロスＣを糊付機本体５１内に後面側から引き入れて糊付ロール５８へ送り出す取り込むための全幅の送り出しロール５６と、糊桶５４内の糊を糊付ロール５８に転写する糊上げロール５１３と、クロス裏面に糊を塗布する糊付ロール５８と、この糊付ロール５８に接して糊量を調節するドクターロール５７と、クロスＣに適度な張力を与えて前部方向へ送り出す均しロール５９とが互いにギアを介して連動可能にかつ所定間隔を持って平行に配列されるように糊桶５４の側板又はこれと平行な軸受板に軸支されている。
【０００４】
一方、上部構体５３内には、送り出しロール５６と対になってピンチロールを構成すると共に検尺機能を備えた全幅の上側ピンチロール５１０と、下部構体５２内に配列されているロールとギアを介して連動されクロスＣに糊付機本体前部方向への送り出し張力を付与するためのドライブロール５１２と、これら上側ピンチロール５１０とドライブロール５１２との間でクロスＣを上から押さえ込む押さえステー５１１とが、互いに所定間隔で平行に配列されるように、それぞれ上部構体５３の本体両側軸受フレームに軸支されている。また、下部構体５２の後面側には、クロスの両側縁部を裁断するスリッター６１が着脱可能に取り付けられている。
【０００５】
また、下部構体５２の両側縁部を支持する一対の脚部５３１には、クロス受けブラケット５４２の先端部に支持されたクロス芯棒５４１に中心軸を通された原反ロールＲから繰り出されるクロスＣに当接して糊付機本体の引き込み口での引き込み荷重を与える第１のテンションバー５３２が橋架されている。そして、その上方には、同じくクロスＣに当接して引き込み口での引き込み荷重を与える第２のテンションバー５３３が橋架されている。
【０００６】
図６は図５の自動壁紙糊付機に取り付けられる糊付機用スリッター６１の概略構成図である。図６に示すように、スリッター６１は、オーバーカッター（上刃）６２と、アンダーカッター（下刃）６３と、ショートシャフト６４と、ロングシャフト６５と、ガイドロール６６と、スプリングストッパー６７とから主に構成されている。
【０００７】
オーバーカッター６２は、円形刃であり、スリッター６１の両端上方において別々に取り付けられたショートシャフト６４上でそれぞれ摺動可能に軸支されている。尚、このオーバーカッター６２は、該オーバーカッター６２に設けられたボス６２ａに取り付けられる止めねじ（セットボルト）６２ｂを締め込むことによりショートシャフト６４上に固定されるようになっている。
【０００８】
ショートシャフト６４は、オーバーカッター６２を摺動可能に軸支しつつ、一端がスリッター６１のアルミ製などの前面側側板（以下、「オーバーステー」と称す。）６１２の内側で固定され、ベアリングを備えたショートシャフト用ブラケット（以下、「ＳＳブラケット」と称す。）６１４に回動可能に支持され、他端はギアボックス６１０内に収納されて、後述する壁装材の搬送方向（矢印Ｘ方向）と直交する方向（矢印Ｙ方向）に向かってスリッター６１の両端上方に取り付けられている。尚、前記ギアボックス６１０内では、後述するロングシャフト６５に備えられたギアと前記ショートシャフト６４に備えられたギアが噛合した状態で収納されている。
【０００９】
アンダーカッター６３も円形刃であり、カッターセットボス６８にビス止めされて該カッターセットボス６８に固定されている。また、このアンダーカッター６３は、一端がスプリングストッパー６７に保持されたスプリング６９の他端と前記カッターセットボス６８を介して当接しており、前記スプリング６９の弾性力によって常に前記オーバーカッター６２に向けて付勢されている。
【００１０】
尚、前記アンダーカッター６３、スプリングストッパー６７、コイル６９は、それぞれ前記ロングシャフト６５上を摺動可能に軸支されており、前記スプリングストッパー６７に取り付けられるセットボルト６７ａを締め込むことにより前記アンダーカッター６３、スプリングストッパー６７、コイル６９のそれぞれがロングシャフト６５上で固定されるようになっている。
【００１１】
前記ロングシャフト６５は、両端がギアボックス６１０内に収納され、スリッター６１の下方両端に渡って前記ショートシャフト６４と平行に配設されており、スリッター６１のアルミ製などの後面側板（以下、「センターステー」と称す。）６１３の内側で固定されたロングシャフト用ブラケット（以下、「ＬＳブラケット」と称す。）６１５によって回動可能に支持されている。そして、ショートシャフト６４、スプリングストッパー６７、スプリング６９、及び搬送される前記壁装材を後述する糊付機本体内にスムーズに送り込むためのガイドロール６６を回動可能に軸支している。
【００１２】
尚、このスリッター６１には、前記オーバーステー６１２の両端外面上で前記オーバーカッター６２と対応する位置に目盛り（スケールプレート）６１６が取り付けられている。
【００１３】
また、前記センターステー６１３外面にはスリッター１を前記糊付機に簡単に装着あるいは取り外すことができるフック６１７が設けられており、このフック６１７を前記糊付機に係止した際に、該糊付機の駆動を伝達し該スリッター６１を駆動させる動力伝達ギア６１８が一方のギアボックス６１０の後面側に設けられている。糊付機の駆動ロールの軸端に取り付けられたギアと噛合したこの動力伝達ギア６１８を介してスリッター６１内に配設された前記オーバーカッター６２とアンダーカッター６３及びガイドロール６６は、回転駆動するようになっている。
【００１４】
糊付け作業に際しては、作業者は先ず、前記クロスの幅（クロスの搬送方向と直交する方向の幅）を所望の幅寸法にするため余分な幅寸法の耳を切断するために、スケールプレート６１６を目視しながら、オーバーカッター６２をショートシャフト６４上で、アンダーカッター６３をロングシャフト６５上で移動し、所望のクロス幅に設定する。
【００１５】
このオーバーカッター６２及びアンダーカッター６３を所望のクロス幅に設定するには、該オーバーカッター６２をショートシャフト６４上に固定している前記オーバーカッター６２のボス６２ａに締め込まれたセットボルト６２ｂを緩めるとともに、アンダーカッター６３をロングシャフト６５上に固定している前記スプリングストッパー６７に締め込まれたセットボルト６７ａを緩めることにより、前記オーバーカッター６２及びアンダーカッター６３を所望の位置へ移動して、再び前記セットボルト６２ｂ，６７ａを締め込み、前記オーバーカッター６２及びアンダーカッター６３を固定すると言う煩雑な作業を行わなければならなかった。
【００１６】
この煩雑な作業を簡便に行うための工夫として、一対の裁断刃の少くとも一方の裁断刃には、これを他方の裁断刃に押圧する押え手段が設けられ、この押え手段にはストッパーが具備されており、押え手段は、押え方向には移動可能であるが、逆方向には、ストッパーによる停止を解除することにより移動可能とされているものが提案されている（特許文献１参照）。また、上回転刃を上シャフトに固定し、下回転刃を下シャフトに固定し、これら上下シャフトを一体に軸方向へ平行移動させるものが提案されている（特許文献２参照）。
【００１７】
【特許文献１】特開平１１−１７０１９２
【特許文献２】特開２００１−３０６９９
【発明の開示】
【発明が解決しようとする課題】
【００１８】
しかしながら、特許文献１については、ストッパーが面取りした取付軸に対して回り止め用Ｄ穴加工した開口を持ち、これを斜めに取付軸に取付けられるため、設置面積が小さく振動等で取付位置がずれる虞がある。更に、特許文献１の機構では、ストッパーの軸心と取付軸との軸心とを合わせることは難しい、スリッターにおいて、回転する取付軸と回転刃を備えたストッパーとの軸心が合わなければ、ブレの原因の１つになる。また、それに加えて、取付（回転）軸に対して厳密に垂直な回転刃の面が得られ難く、取付軸に対して若干斜めに傾いた面となり易く、ブレの別の原因となる。そのため、スリッターの裁断辺が均質なものとなり難い欠点がある。
【００１９】
尚、取付軸に対して着脱を容易に行うのであれば、コレットチャック等のチャック機構が考えられる。コレットチャックは３つのツメを均等の力で軸に押し当て、３つのツメが同一周上に配置されるため、装着される軸がコレットチャックの軸心に合わせることが容易であり、装着される軸に垂直な面も容易にでる。しかしながら、コレットチャックは部品数が多く、高価である。また、ツメでの固着はツメ又は軸の一部が欠損すると均等の力で押し当てることができず、心許なく、一部の欠損は全ての部材を取り替える必要がある等の欠点がある。
【００２０】
また、特許文献２については、面ブレが無く良好であるが、糊付機スリッターから一体となったシャフトが突出する機構であるため、広い作業現場が必要となる欠点がある。
【００２１】
本発明は、煩雑な作業であった切断幅調節を簡便に行えるだけでなく、広い作業現場を必要とせず、確実にシャフトに回転刃を固定することができ、更には、固定と同時に取付（回転）軸に対して同軸で尚且つ厳密に垂直な回転刃の面が簡単に得ることができるロータリーカッター及び壁紙糊付機用スリッターを得ることを目的とする。
【課題を解決するための手段】
【００２２】
請求項１に記載された発明に係るロータリーカッターは、回転刃を保持するホルダー部材と、ホルダー部材の貫通ボス孔に通された回転シャフトと、回転シャフト上のホルダー部材を回転シャフトに対して解除可能に固定する固定機構とを備えたロータリーカッターにおいて、
固定機構が、貫通ボス孔の内部に位置する回転シャフトの外周面に対して軸心へ向かう径方向の押圧力を付与する押圧機構と、回転シャフトの外周面上における前記押圧力の作用位置とは軸心を間に対向する側となる回転シャフト外周半周面上の周方向に離れた２位置において前記押圧力に対して回転シャフトを支承するために貫通ボス孔の内周面上に設けられた第１及び第２の支承部とを備え、
前記ボス孔軸心と第１の支承部との距離と、シャフト軸心と第１の支承部に当接するシャフト当接箇所までの距離とが等しく、尚且つ、前記ボス孔軸心と第２の支承部との距離と、シャフト軸心と第２の支承部に当接するシャフト当接箇所までの距離とが等しくされていることを特徴とするものである。
【００２３】
請求項２に記載された発明に係るロータリーカッターは、請求項１に記載の第１及び第２の支承部が、前記押圧力の作用中心線とボス孔軸心とを含む面に対して対称な位置に各々ボス孔軸心へ向けて互いに等しい隆起高さで設けられており、
前記第１及び第２の支承部に当接する回転シャフトの当接箇所が、シャフト軸心と同心で等しい離心距離の円弧周面部で構成されていることを特徴とするものである。
【００２４】
請求項３に記載された発明に係るロータリーカッターは、請求項１又は２に記載の押圧機構が、貫通ボス孔の内面から軸心へ向かって前記回転シャフトを押圧する締め込みネジ機構を含むことを特徴とするものである。
【００２５】
請求項４に記載された発明に係るロータリーカッターは、請求項１又は２に記載の押圧機構が、貫通ボス孔の内面の一部とそれに対面する回転シャフトの表面との間で形成されたキー溝部と、このキー溝部に回転シャフトの軸方向に挿入されることによりホルダー部材と回転シャフトとを相互に固定する楔キーと、楔キーをキー溝部へ挿入する方向に付勢する付勢機構と、楔キーを付勢機構の押圧に抗してキー溝部から抜き出す方向へ移動させるための操作機構とを備えていることを特徴とするものである。
【００２６】
請求項５に記載された発明に係るロータリーカッターは、請求項４に記載のキー溝部がシャフト軸方向に間隔をあけて隣接する二つのキー溝を含み、両キー溝にはそれぞれ個別の楔キーが互いに離反する方向へ挿入され、前記付勢機構がこれら個別の楔キーに同時に作用する付勢部材を含むと共に、前記操作機構もこれら個別の楔キーを同時に移動させるための操作部材を含んでいることを特徴とするとを特徴とするものである。
【００２７】
請求項６に記載された発明に係る壁紙糊付機用スリッターは、一方の面に連続的に糊が塗布されるシート状壁装材を搬送方向に沿った縁部を裁断するために、請求項１〜５の何れかに記載のロータリーカッターを備えたことを特徴とするものである。
【発明の効果】
【００２８】
本発明は以上説明した通り、煩雑な作業であった切断幅調節を簡便に行えるだけでなく、広い作業現場を必要とせず、確実に取付（回転）シャフトに回転刃を固定することができる。また、取付（回転）シャフトに対して厳密に垂直な回転刃の面が簡単に得られるという効果がある。
【発明を実施するための最良の形態】
【００２９】
本発明においては、回転刃を保持するホルダー部材と、ホルダー部材の貫通ボス孔に通された回転シャフトと、回転シャフト上のホルダー部材を回転シャフトに対して解除可能に固定する固定機構とを備えたロータリーカッターにおいて、固定機構が、貫通ボス孔の内部に位置する回転シャフトの外周面に対して軸心へ向かう径方向の押圧力を付与する押圧機構と、回転シャフトの外周面上における前記押圧力の作用位置とは軸心を間に対向する側となる回転シャフト外周半周面上の周方向に離れた２位置において前記押圧力に対して回転シャフトを支承するために貫通ボス孔の内周面上に設けられた第１及び第２の支承部とを備え、前記ボス孔軸心と第１の支承部との距離と、シャフト軸心と第１の支承部に当接するシャフト当接箇所までの距離とが等しく、尚且つ、前記ボス孔軸心と第２の支承部との距離と、シャフト軸心と第２の支承部に当接するシャフト当接箇所までの距離とが等しくされているため、ホルダー部材の貫通ボス孔の軸心と回転シャフトの軸心とが固定機構によって固定すると同時に合致し、回転シャフトに対して垂直な面も固定すると同時に得られる。
【００３０】
特に、第１及び第２の支承部が、前記押圧力の作用中心線とボス孔軸心とを含む面に対して対称な位置に各々ボス孔軸心へ向けて互いに等しい隆起高さで設けられており、前記第１及び第２の支承部に当接する回転シャフトの当接箇所が、シャフト軸心と同心で等しい離心距離の円弧周面部で構成されているものでは、回転シャフトに対して同軸であり厳密に垂直な回転刃の面を簡単に得ることができる。
【００３１】
押圧機構としては、確実に貫通ボス孔の内面から軸心へ向かって前記回転シャフトを押圧するものであれば良く、具体的な実施態様としては、貫通ボス孔の側面から対向面へ前記回転シャフトを押圧する締め込みネジ機構を含むものや、貫通ボス孔の内面の一部とそれに対面する回転シャフトの表面との間で形成されたキー溝部と、このキー溝部に回転シャフトの軸方向に挿入されることによりホルダー部材と回転シャフトとを相互に固定する楔キーと、楔キーをキー溝部へ挿入する方向に付勢する付勢機構と、楔キーを付勢機構の押圧に抗してキー溝部から抜き出す方向へ移動させるための操作機構とを備えているもの等がある。
【００３２】
図１は本発明のロータリーカッターの一実施例の要部の作用構成を説明する説明図である。図に示す通り、２点差線で示す上刃を保持するショートシャフト又は下刃を保持するロングシャフトの何れかの回転シャフト１がある。この回転シャフト１はシャフト軸に平行な面で円周の一部を切り取った断面がＤ字状の棒状であり、断面が円周の円周部２と平面の面部３とがある。一方、この回転シャフト１に固定されるホルダー部材５は、回転シャフト１が貫通する貫通ボス孔６が形成され、貫通ボス孔６の内面の一部とそれに対面する回転シャフトの面部３との間にキー溝部４が形成される。また、この貫通ボス孔６の内面には、ボス孔軸心へ向けて互いに等しい隆起高さで、尚且つ、中心軸に対する円弧の接線方向に回転シャフト１の円周部２に接触する２つの支承部７がキー溝４の中心が対向する位置と軸心とを結ぶ面の面対称な位置となるように設けられている。尚、ボス孔軸心と支承部との距離と、シャフト軸心と円弧周面部との距離とを等しい距離としているため、ボス孔軸心とシャフト軸心とは同一線となる。
【００３３】
このような回転シャフト１と貫通ボス孔６とにおいては、２つの支承部７の中間点と中心軸とを結ぶ直線上で回転シャフト１を中間点方向に押圧する力８を与えると、力は２つの支承部７を各々の平面に対して垂直に押す力９，１０となる。これにより、貫通ボス孔の中心軸に対して等しい離心距離にある２つの支承部７によって回転シャフト１に対して厳密に垂直な回転刃の面を簡単に得ることができることになる。尚、本例では断面がＤ字状のものを例示したが、２つの支承部に接する部分がシャフト軸心と同心で等しい離心距離の側部があれば良く、究極的には軸心と平行な線状の周面を有してもかまわないが、円弧周面部として、ある程度の幅を持たせることにより誤差を解消することができる。また、回転シャフトの２つの支承部の間の部分を切欠いて軽量化を図っても何ら問題はない。
【００３４】
図１では２つの支承部７は、各々ボス孔軸心へ向けて互いに等しい隆起高さで設けられていれば良く、より好ましくは中間点方向に押圧する力８に対して、等しい開き角となり中心軸に接する２つの平面であればよく、図のように各々１２０度の力９，１０となるようにすると押圧する力８と垂直に押す力９，１０とが均等な力関係となる。また、中間点方向に押圧する力８については、例えば、１本以上のネジ等で押圧するような構成でもよく、より簡略に着脱と固定とを行うためには前記キー溝部４に楔状のキーを挿し込むことにより簡単に得ることができる。また、キー溝４についても、回転シャフト１の表面にテーパを有する楔状のキーを挿し込むことができればよいので、平面上の面部３に限定されるものではなく、例えば、断面が円弧状、扇形、一辺が曲面で３辺が直線状のもの等が挙げられる。
【００３５】
また、キー溝部及び楔キーについては、確実な取付と取り外しが容易なようにシャフト軸方向の前後の２方向に設ける。即ち、好ましい態様としては、キー溝部がシャフト軸方向に間隔をあけて隣接する二つのキー溝を含み、両キー溝にはそれぞれ個別の楔キーが互いに離反する方向へ挿入され、前記付勢機構がこれら個別の楔キーに同時に作用する付勢部材を含むと共に、前記操作機構もこれら個別の楔キーを同時に移動させるための操作部材を含んでいるものが挙げられる。
【００３６】
また、上下の回転刃によってクロスの端部を裁断するスリッターにおいては、前記ロータリーカッターを備えればよい。具体的なスリッターとしては、左右一対の一枚の回転刃の高速回転により裁断するもの、左右一対の２つの回転刃でクロスを挟み込んで剪断するもの等があるが、これらの回転刃について本発明のロータリーカッターを用いる。また、本発明のスリッターは自動壁紙糊付機は元より、手動の壁紙糊付機に装着するものをも含む。
【実施例】
【００３７】
図２は本発明の壁紙糊付機用スリッターの一実施例の回転シャフトとこれに固定されるホルダー部材との構成を説明する説明図であり、ａ図は平面図、ｂ図は側面図である。図２に示す通り、上刃を保持する回転シャフトとしてのショートシャフト２１がある。このショートシャフト２１は中心軸に平行な面で円周の一部を切り取った断面がＤ字状の棒状であり、断面が円周の円周部２２と平面の面部２３とがある。一方、上刃を３つのネジで固定するためのネジ孔２５ａが回転刃取付面２５ｂに垂直に形成されたホルダー部材としてのカッターセットボス２５には、その中心部にショートシャフト２１が貫通する貫通ボス孔２６が形成され、貫通ボス孔２６の内面の一部とそれに対面するシャフト２１の面部２３との間にキー溝部２４が形成される。更に、この貫通ボス孔２６の周には中心軸に対して等しい離心距離上でショートシャフト２１の円周部２２に接触する２つの平面状の支承部２７を備える。
【００３８】
カッターセットボス２５の貫通ボス孔２６には、貫通ボス孔２６の途中で２つの支承部２７の中間点から中心軸を経て伸ばした方向に締め込みネジ孔２８が形成されている。締め込みネジ孔２８には、固定ネジ２９が装着されている。この固定ネジ２９の締め込みにより、先端部がショートシャフト２１の軸方向の両方向へ断面Ｄ字状の回転シャフトの切り取られた面部２３に当接して押圧し、カッターセットボス２５がショートシャフト２１上に固定される。
【００３９】
図３は本発明の壁紙糊付機用スリッターの別の実施例の回転シャフトとこれに固定されるホルダー部材との構成を説明する説明図であり、ａ図は平面図、ｂ図は側面図である。図３に示す通り、上刃を保持する回転シャフトとしてのショートシャフト３１がある。このショートシャフト３１は中心軸に平行な面で円周の一部を切り取った断面がＤ字状の棒状であり、断面が円周の円周部３２と平面の面部３３とがある。一方、上刃を３つのネジで固定するためのネジ孔３５ａが回転刃取付面３５ｂに垂直に形成されたホルダー部材としてのカッターセットボス３５には、その中心部にショートシャフト３１が貫通する貫通ボス孔３６が形成され、貫通ボス孔３６の内面の一部とそれに対面するシャフト３１の面部３３との間にキー溝部３４が形成される。更に、この貫通ボス孔３６の周には中心軸に対して等しい離心距離上でショートシャフト３１の円周部３２に接触する２つの平面状の支承部３７を備える。
【００４０】
カッターセットボス３５の貫通ボス孔３６には、貫通ボス孔３６の途中で２つの支承部３７の中間点から中心軸を経て伸ばした方向に解放孔３８が形成されている。解放孔３８には、先端部に各々楔部材３９ａが備えられた支持軸３９ｂで２つの拡開部片３９ｃを拡開可能に繋ぎ、支持軸に拡開方向に付勢するバネ部材３９ｄを備えた拡開治具３９が装着されている。この拡開治具３９により、先端部の楔部材３９ａの各々がショートシャフト３１の軸方向の両方向へ断面Ｄ字状の回転シャフトの切り取られた面部３３と貫通ボス孔３６内壁面とキー溝部３４の間に挿し込まれ、カッターセットボス３５がショートシャフト３１上に固定される。
【００４１】
図４は本発明の壁紙糊付機用スリッターの更に別の実施例の回転シャフトとこれに固定されるホルダー部材との構成を説明する説明図であり、ａ図は平面図、ｂ図は側面図である。図４に示す通り、上刃を保持する回転シャフトとしてのショートシャフト４１がある。このショートシャフト４１は中心軸に平行な面で円周の一部を切り取った断面がＤ字状の棒状であり、断面が円周の円周部４２と平面の面部４３とがある。一方、上刃を３つのネジで固定するためのネジ孔４５ａが回転刃取付面４５ｂに垂直に形成されたホルダー部材としてのカッターセットボス４５には、その中心部にショートシャフト４１が貫通する貫通ボス孔４６が形成され、貫通ボス孔４６の内面の一部とそれに対面するシャフト４１の面部４３との間にキー溝部４４が形成される。更に、この貫通ボス孔４６の周には中心軸に対して等しい離心距離上でショートシャフト４１の円周部４２に接触する２つの平面状の支承部４７を備える。
【００４２】
カッターセットボス４５の貫通ボス孔４６には、貫通ボス孔４６の途中で２つの支承部４７の中間点から中心軸を経て伸ばした方向に解放孔４８が形成されている。解放孔４８には、先端部に各々楔部材４９ａが備えられた支持軸４９ｂで２つの拡開部片４９ｃを拡開可能に繋ぎ、支持軸に拡開方向に付勢するバネ部材４９ｄを備えた拡開治具４９が装着されている。この拡開治具４９により、先端部の楔部材４９ａの各々がショートシャフト４１の軸方向の両方向へ断面Ｄ字状の回転シャフトの切り取られた面部４３と貫通ボス孔４６内壁面との間のキー溝部４４に挿し込まれ、カッターセットボス４５がショートシャフト４１上に固定される。
【図面の簡単な説明】
【００４３】
【図１】本発明のロータリーカッターの一実施例の要部の作用構成を説明する説明図である。
【図２】本発明の壁紙糊付機用スリッターの一実施例の回転シャフトとこれに固定されるホルダー部材との構成を説明する説明図である。
【図３】本発明の壁紙糊付機用スリッターの別の実施例の回転シャフトとこれに固定されるホルダー部材との構成を説明する説明図である。
【図４】本発明の壁紙糊付機用スリッターの更に別の実施例の回転シャフトとこれに固定されるホルダー部材との構成を説明する説明図である。
【図５】従来の自動壁紙糊付機の全体構成を示す側面透視図である。
【図６】図５の自動壁紙糊付機に取り付けられる糊付機用スリッターの概略構成図である。
【符号の説明】
【００４４】
１…回転シャフト、
２…円周部、
３…面部、
４…キー溝部、
５…ホルダー部材、
６…貫通ボス孔、
７…支承部、
８…中間点と中心軸とを結ぶ直線上で回転シャフト１を中間点方向に押圧する力、
９、１０…２つの支承部７を各々の平面に対して垂直に押す力、
２１、３１、４１…ショートシャフト（回転シャフト）、
２２、３２、４２…円周部、
２３、３３、４３…面部、
２４、３４、４４…キー溝部、
２５、３５、４５…カッターセットボス、
２５ａ、３５ａ、４５ａ…ネジ孔、
２５ｂ、３５ｂ、４５ｂ…回転刃取付面、
２６、３６、４６…貫通ボス孔、
２７、３７、４７…支承部、
２８            …締め込み孔、
３８、４８…解放孔、
２９            …固定ネジ
３９、４９…拡開治具、
３９ａ、４９ａ…楔部材（楔キー）、
３９ｂ、４９ｂ…支持軸、
３９ｃ、４９ｃ…拡開部片（操作機構）、
３９ｄ、４９ｄ…バネ部材（付勢機構）、
【図１】
2005035170.tif 000003
【図２】
2005035170.tif 000004
【図３】
2005035170.tif 000005
【図４】
2005035170.tif 000006
【図５】
2005035170.tif 000007
【図６】
2005035170.tif 000008